(57)【要約】      （修正有）【課題】照射角度や方向を調節することができ、術者に患部の隅々まではっきり見せることができる手持式分離型照明装置を提供する。【解決手段】光伝達構造、及びそれに接合される把手構造を備え、光伝達構造は、光伝達体１、保護体２および嵌合体を有する。光伝達体１は、線状の透明である光ファイバー１１および被覆体１２からなる。保護体２は、光伝達体１の一方の端部に挿入され、嵌合体は、光伝達構造１と手持式把手とを接合し、第１の端部１３に光を伝達して、照明として使用することができる。被覆体１２は、光が伝達される際に、発生する漏光を防止する。被覆体１２は、折曲自在な金属材料からなり、光ファイバー１１上を覆って、照射角度を調節する。【選択図】図５
0003137617.tif 000002
【実用新案登録請求の範囲】
【請求項１】
光伝達体および保護体を備える手持式分離型医療用照明装置の光伝達構造であって、
前記光伝達体は光ファイバー、および前記光ファイバーの表面を覆う被覆体からなり、前記光伝達体は第１の端部および第２の端部を有し、
前記保護体は前記光伝達体の前記第１の端部に接合することを特徴とする手持式分離型医療用照明装置の光伝達構造。
【請求項２】
前記光ファイバーは線状の透明体であることを特徴とする請求項１に記載の手持式分離型医療用照明装置の光伝達構造。
【請求項３】
前記被覆体は折曲自在な金属材料であることを特徴とする請求項１に記載の手持式分離型医療用照明装置の光伝達構造。
【請求項４】
前記保護体は透明な材料からなり、本体を有し、前記本体は前方の端部にアーチ面を有し、後方の端部に嵌合孔を有することを特徴とする請求項１に記載の手持式分離型医療用照明装置の光伝達構造。
【請求項５】
前記保護体は前記本体が円錐状を呈することを特徴とする請求項４に記載の手持式分離型医療用照明装置の光伝達構造。
【請求項６】
内部に穿孔を有し、外部の表面に凸環を有し、前記光伝達体の前記第２の端部に嵌合する嵌合体を備えることを特徴とする請求項１に記載の手持式分離型医療用照明装置の光伝達構造。
【考案の詳細な説明】
【技術分野】
【０００１】
本考案は、医療用照明装置の光伝達構造に関し、特に、光伝達構造と把手構造を分離させた手持式の分離型医療用照明装置の光伝達構造に関する。
【背景技術】
【０００２】
医療機器は、ＭＥＭＳ技術、通信技術、材料技術、バイオテクノロジーなどの先端技術を結合させ、独自の産業に融合させなければならない。そのため、それぞれの技術またはテクノロジーの発展は、医療機器産業の発展を導き、良質の医療機器は、医療の質を向上させる。
【０００３】
従来の医療において使用される照明は、手術用照明装置のように天井または壁に備え付けられるか、術者が頭部に装着したりするものであった。術者が患者に医療行為を行なう際、照明は患者の患部を照らし、術者に患部をはっきり見せるものである。また、上記の二種類以外に、術者が手に持つことができる照明もある。上記の二種類の照明が患部を照らすことができない場合、この照明は、体積が小さいため、患部を照らすことができる。
【０００４】
図１は、従来の手持式照明装置を示す斜視図である。図１に示すように、従来の手持式照明装置は、把手１０を備える。把手１０は、内部に電池２０が装着され、先端に接合される。管体３０の先端の内部には光源４０が配置され、光源４０は伝達導線５０とスイッチ６０と電池２０と電気的に接続される。術者が使用時に、スイッチ６０を押すだけで、電池２０が伝達導線５０を介して電力を光源４０に提供し光源４０を発光させ、術者に患者の患部をはっきり見せることができる。従来の手持式照明装置は、管体３０が硬い金属材料のため、術者が照射角度や方向を調節するのが困難で、照射した光線が筋肉組織に遮断されると、患部の角が見え難くなり、術者に不便を感じさせていた。
【特許文献１】実開平７−１９９０１号公報
【特許文献２】特開２００３−３３９７３８号公報
【考案の開示】
【考案が解決しようとする課題】
【０００５】
本考案の目的は、照射角度または方向を調節することができ、術者に患部の隅々まではっきり見せることができる手持式分離型照明装置を提供することにある。
【課題を解決するための手段】
【０００６】
上述の目的を達成するため、本考案は手持式分離型照明装置の光伝達構造を提供する。本考案の手持式分離型照明装置の光伝達構造は、光伝達体、保護体および嵌合体を備える。光伝達体は、線状の透明である光ファイバーおよび被覆体からなる。保護体は、円錐状の本体を有する。本体は、前方の端部にアーチ面を有し、後方の端部に嵌合孔を有する。嵌合孔は、光伝達体の第１の端部に嵌合する。嵌合体は、内部に光伝達体の第２の端部に挿入する穿孔を有する。嵌合体は、光伝達構造と手持式把手とを接合する。
【考案の効果】
【０００７】
本考案の手持式分離型医療用照明装置は、光伝達構造の光伝達体は、線状で透明な光ファイバー、および折曲自在な金属被覆体からなるため、術者が照射角度や方向を調節して、患部の隅々まではっきり見ることができる。
【考案を実施するための最良の形態】
【０００８】
以下、本考案の実施形態を図面に基づいて説明する。図２は、本考案の実施形態による光伝達構造を示す斜視図である。図３は、本考案の実施形態による光伝達構造を示す分解斜視図である。図４は、図３の局部拡大図である。図２〜４に示すように、本考案の光伝達構造は、長い光伝達体１、光伝達体１の一方の端部に接続される保護体２、および光伝達体１のもう一方の端部に接続される嵌合体３を備える。光伝達体１は、線状の透明である光ファイバー１１、および光ファイバー１１の表面を覆う被覆体１２からなり（図３参照）、光伝達体１は第１の端部１３および第２の端部１４を有する。光伝達体１は、第２の端部１４から第１の端部１３に光を伝達して、照明として使用することができる。被覆体１２は、光が伝達される際に、発生する漏光を防止する。被覆体１２は、折曲自在な金属材料からなり、光ファイバー１１上を覆って、照射の方向を調節する。
【０００９】
保護体２は、透明な材料からなり、円錐状の本体２１を有する。本体２１は、前方の端部にアーチ面２２を有し、後方の端部に嵌合孔２３を有する。嵌合孔２３は、光伝達体１の第１の端部１３に嵌合し、保護体２は光伝達体１の第１の端部１３の鋭角が患者の患部を傷つけてしまうのを防止する。また、保護体２は、光伝達体１が伝達する光線の集光または散光を行ない、照射すべきところに照射する。
【００１０】
嵌合体３は、内部に光伝達体１の第２の端部１４に挿入する穿孔３１を有する。嵌合体３は、嵌合体３に嵌合して把手構造（図示せず）に接合する凸環３２を有する。凸環３２は、把手構造の回転接合部の前方の端部に接合する。
【００１１】
図５は、本考案の実施形態による光伝達構造を示す断面図である。図５に示すように、光伝達構造を手持式把手構造（図示せず）に接合する。手持式把手構造内の光源が発生させた光線４が光伝達体１の光ファイバー１１を介して保護体２に伝達される。その際、保護体２は光線４の集光または散光を行ない、保護体２のアーチ面２２から光線４を照射すべきところに照射する。保護体２は、医療行為中に光伝達体１の第１の端部１３の鋭角が患者の患部を傷つけてしまうのを防止する。
【００１２】
光ファイバー１１は表面が被覆体１２に覆われるため、光ファイバー１１上で光線４が伝達される時には、光ファイバー１１により伝達される光線４の漏光が防止され、光線４が効果的に保護体２に伝達される。
【００１３】
図６は、本考案の実施形態による光伝達構造の使用例を示す斜視図である。図６に示すように、光伝達構造と手持式把手（図示せず）とを接合する際、嵌合体３を手持式把手５の前部の端部の管体５１に挿入し、この時、嵌合体３の凸環３２は管体５１の開口部の先端に接合する。
【００１４】
術者が使用時において、手で直接把手５を持つことができる。手持把手５の内部の電池（図示せず）が光源（図示せず、光源は電灯または発光ダイオードでよい）を点灯させると、光線４は光伝達体１により保護体２に伝達される。その際、保護体２は光線４の集光または散光を行ない、保護体２のアーチ面２２から光線４を照射すべきところに照射する。使用中に、保護体２が照射した光線が患者の身体のある部分を照射できない場合、折曲自在な金属の被覆体１２により照射角度を調節することができ、照射すべきところ照らすことができる。
【００１５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１６】
【図１】従来の手持式照明装置を示す斜視図である。
【図２】本考案の実施形態による光伝達構造を示す斜視図である。
【図３】本考案の実施形態による光伝達構造を示す分解斜視図である。
【図４】図３の局部拡大図である。
【図５】本考案の実施形態による光伝達構造を示す断面図である。
【図６】本考案の実施形態による光伝達構造の使用例を示す斜視図である。
【符号の説明】
【００１７】
１  光伝達体
２  保護体
３  嵌合体
４  光線
５  把手
１１  光ファイバー
１２  被覆体
１３  第１の端部
１４  第２の端部
２１  本体
２２  アーチ面
２３  嵌合孔
３１  穿孔
３２  凸環
５１  管体
【図１】
0003137617.tif 000003
【図２】
0003137617.tif 000004
【図３】
0003137617.tif 000005
【図４】
0003137617.tif 000006
【図５】
0003137617.tif 000007
【図６】
0003137617.tif 000008